【手続補正書】
【提出日】平成27年1月13日(2015.1.13)
【手続補正１】
【補正対象書類名】明細書
【補正対象項目名】０００８
【補正方法】変更
【補正の内容】
【０００８】
上記目的を達成するために、本発明の撮像装置は、撮影レンズを介して入射した光を光電変換して画像データを出力する、２次元に配置された複数の画素から成る撮像素子と、前記撮影レンズと前記撮像素子との間に配置され、予め決められた数の画素から成る前記撮像素子の複数の領域それぞれに対応する複数のマイクロレンズと、前記撮像素子から出力された前記複数の画素の画像データから、任意の距離に合焦した画像を生成するリフォーカス処理を行うリフォーカス画像生成手段と、前記リフォーカス処理に用いるパラメータに対応したシーンを選択するための選択手段とを有し、前記リフォーカス画像生成手段は、前記選択手段により選択されたシーンに対応するパラメータを用いて前記画像を生成する。
【手続補正２】
【補正対象書類名】特許請求の範囲
【補正対象項目名】全文
【補正方法】変更
【補正の内容】
【特許請求の範囲】
【請求項１】
撮影レンズを介して入射した光を光電変換して画像データを出力する、２次元に配置された複数の画素から成る撮像素子と、
前記撮影レンズと前記撮像素子との間に配置され、予め決められた数の画素から成る前記撮像素子の複数の領域それぞれに対応する複数のマイクロレンズと、
前記撮像素子から出力された前記複数の画素の画像データから、任意の距離に合焦した画像を生成するリフォーカス処理を行うリフォーカス画像生成手段と、
前記リフォーカス処理に用いるパラメータに対応したシーンを選択するための選択手段とを有し、
前記リフォーカス画像生成手段は、前記選択手段により選択されたシーンに対応するパラメータを用いて前記画像を生成することを特徴とする撮像装置。
【請求項２】
前記撮像素子は、一定時間間隔で画像データを出力し、前記リフォーカス画像生成手段は、前記画像データが出力されたときに前記選択手段により選択されているシーンに対応する前記パラメータを用いて、前記画像データに対してリフォーカス処理を行うことを特徴とする請求項１に記載の撮像装置。
【請求項３】
前記撮像素子から出力された画像データと、前記選択手段により選択されたシーンに対応する前記パラメータを付加情報として、前記画像データに関連付けて記録する記録手段を更に有することを特徴とする請求項１または２に記載の撮像装置。
【請求項４】
前記リフォーカス画像生成手段は、更に、前記記録手段により記録された画像データと、該画像データに関連付けて記録された付加情報とを読み出し、読み出した前記画像データと、前記付加情報とを用いて、前記リフォーカス処理を行うことを特徴とする請求項３に記載の撮像装置。
【請求項５】
前記シーンは人物撮影を含み、前記選択手段により人物撮影が選択された場合に、前記リフォーカス処理において、前記画像データの画像に含まれる顔に合焦させるパラメータが設定されることを特徴とする請求項１乃至４のいずれか１項に記載の撮像装置。
【請求項６】
前記シーンは風景撮影及び夜景撮影を含み、前記風景撮影及び夜景撮影のいずれかが選択された場合に、前記リフォーカス処理において、被写界深度を深くするパラメータが設定されることを特徴とする請求項１乃至５のいずれか１項に記載の撮像装置。
【請求項７】
光の強度分布及び光の入射方向の情報を含む画像データを取得する取得手段と、
前記取得手段により取得した画像データから、任意の距離に合焦した画像を生成するリフォーカス処理を行うリフォーカス画像生成手段と、
前記リフォーカス処理に用いるパラメータに対応したシーンを選択するための選択手段とを有し、
前記リフォーカス画像生成手段は、前記選択手段により選択されたシーンに対応するパラメータを用いて前記画像を生成することを特徴とする撮像装置。
【請求項８】
撮影レンズを介して入射した光を光電変換して画像データを出力する、２次元に配置された複数の画素から成る撮像素子と、
前記撮影レンズと前記撮像素子との間に配置され、予め決められた数の画素から成る前記撮像素子の複数の領域それぞれに対応する複数のマイクロレンズと、
前記撮像素子から出力された前記複数の画素の画像データから、任意の距離に合焦した画像を生成するリフォーカス処理を行うリフォーカス画像生成手段と、
前記画像データが表す撮像されたシーンに対応するパラメータを設定する設定手段とを有し、
前記リフォーカス画像生成手段は、前記設定手段により設定されたシーンに対応するパラメータを用いて前記画像を生成することを特徴とする撮像装置。
【請求項９】
前記リフォーカス画像生成手段により生成された前記画像を表示する表示手段を更に有することを特徴とする請求項１乃至８のいずれか１項に記載の撮像装置。
【請求項１０】
撮影レンズを介して入射した光を光電変換して画像データを出力する、２次元に配置された複数の画素から成る撮像素子と、前記撮影レンズと前記撮像素子との間に配置され、予め決められた数の画素から成る前記撮像素子の複数の領域それぞれに対応する複数のマイクロレンズとからなる撮像装置から出力された画像データを処理する画像処理装置であって、
前記撮像素子から出力された前記複数の画素の画像データから、任意の距離に合焦した画像を生成するリフォーカス処理を行うリフォーカス画像生成手段と、
前記リフォーカス処理に用いるパラメータに対応したシーンを選択するための選択手段とを有し、
前記リフォーカス画像生成手段は、前記選択手段により選択されたシーンに対応するパラメータを用いて前記画像を生成することを特徴とする画像処理装置。
【請求項１１】
光の強度分布及び光の入射方向の情報を含む画像データを取得する取得手段により取得した画像データを処理する画像処理装置であって、
前記取得手段により取得した画像データから、任意の距離に合焦した画像を生成するリフォーカス処理を行うリフォーカス画像生成手段と、
前記リフォーカス処理に用いるパラメータに対応したシーンを選択するための選択手段とを有し、
前記リフォーカス画像生成手段は、前記選択手段により選択されたシーンに対応するパラメータを用いて前記画像を生成することを特徴とする画像処理装置。
【請求項１２】
撮影レンズを介して入射した光を光電変換して画像データを出力する、２次元に配置された複数の画素から成る撮像素子と、前記撮影レンズと前記撮像素子との間に配置され、予め決められた数の画素から成る前記撮像素子の複数の領域それぞれに対応する複数のマイクロレンズとからなる撮像装置から出力された画像データを処理する画像処理装置であって、
前記撮像素子から出力された前記複数の画素の画像データから、任意の距離に合焦した画像を生成するリフォーカス処理を行うリフォーカス画像生成手段と、
前記画像データが表す撮像されたシーンに対応するパラメータを設定する設定手段とを有し、
前記リフォーカス画像生成手段は、前記設定手段により設定されたシーンに対応するパラメータを用いて前記画像を生成することを特徴とする画像処理装置。
【請求項１３】
前記リフォーカス画像生成手段により生成された前記画像を表示する表示手段を更に有することを特徴とする請求項１０乃至１２のいずれか１項に記載の画像処理装置。
【請求項１４】
撮影レンズを介して入射した光を光電変換して画像データを出力する、２次元に配置された複数の画素から成る撮像素子と、前記撮影レンズと前記撮像素子との間に配置され、予め決められた数の画素から成る前記撮像素子の複数の領域それぞれに対応する複数のマイクロレンズとからなる撮像装置から出力された画像データを処理する画像処理方法であって、
リフォーカス画像生成手段が、前記撮像素子から出力された前記複数の画素の画像データから、任意の距離に合焦した画像を生成するリフォーカス処理を行うリフォーカス画像生成工程と、
選択手段が、前記リフォーカス処理に用いるパラメータに対応したシーンを選択するための選択工程とを有し、
前記リフォーカス画像生成工程では、前記選択工程で選択されたシーンに対応するパラメータを用いて前記画像を生成することを特徴とする画像処理方法。
【請求項１５】
光の強度分布及び光の入射方向の情報を含む画像データを取得する取得手段により取得した画像データを処理する画像処理方法であって、
リフォーカス画像生成手段が、前記取得手段により取得した画像データから、任意の距離に合焦した画像を生成するリフォーカス処理を行うリフォーカス画像生成工程と、
選択手段が、前記リフォーカス処理に用いるパラメータに対応したシーンを選択するための選択工程とを有し、
前記リフォーカス画像生成工程では、前記選択工程で選択されたシーンに対応するパラメータを用いて前記画像を生成することを特徴とする画像処理方法。
【請求項１６】
撮影レンズを介して入射した光を光電変換して画像データを出力する、２次元に配置された複数の画素から成る撮像素子と、前記撮影レンズと前記撮像素子との間に配置され、予め決められた数の画素から成る前記撮像素子の複数の領域それぞれに対応する複数のマイクロレンズとからなる撮像装置から出力された画像データを処理する画像処理方法であって、
リフォーカス画像生成手段が、前記撮像素子から出力された前記複数の画素の画像データから、任意の距離に合焦した画像を生成するリフォーカス処理を行うリフォーカス画像生成工程と、
設定手段が、前記画像データが表す撮像されたシーンに対応するパラメータを設定する設定工程とを有し、
前記リフォーカス画像生成工程では、前記設定工程で設定されたシーンに対応するパラメータを用いて前記画像を生成することを特徴とする画像処理方法。
【請求項１７】
表示手段が、前記リフォーカス画像生成工程で生成された前記画像を表示する表示工程を更に有することを特徴とする請求項１４乃至１６のいずれか１項に記載の画像処理方法。
【請求項１８】
コンピュータに、請求項１４乃至１７のいずれか１項に記載の画像処理方法の各工程を実行させるためのプログラム。
【請求項１９】
請求項１８に記載のプログラムを格納したコンピュータが読み取り可能な記憶媒体。